(57)【特許請求の範囲】
【請求項１】
第１の通信プロトコルでデータを伝送するための第１の通信セッションおよび前記第１の通信プロトコルとは異なる第２の通信プロトコルでデータを伝送するための第２の通信セッションの双方の通信機能を有する上位キャリアと、
前記上位キャリアに対して前記第１の通信セッションを確立して通信を行う第１の通信部と、前記上位キャリアに対して前記第２の通信セッションを確立して通信を行う第２の通信部と、前記第１の通信部および前記第２の通信部の制御を行う通信制御部とを含む基地局装置と、
を備え、
前記通信制御部は、前記第１の通信セッションを切断し、前記第１の通信セッションに関する信号を、前記第２の通信セッションを用いて前記上位キャリアへ迂回転送させる、
ことを特徴とする通信システム。
【請求項２】
前記通信制御部は、切断されている前記第１の通信セッションの配下にあるアイドル状態の無線通信装置の発信または着信を契機に、前記第１の通信セッションを確立して前記迂回転送を停止することを特徴とする請求項１記載の通信システム。
【請求項３】
前記通信制御部は、
前記第１の通信セッションが確立しているときに、前記第１の通信セッションの発信または着信が終了して、前記第１の通信セッションの配下の無線通信装置がアイドル状態となったときは、前記第１の通信セッションを切断し、
前記第２の通信セッションが確立しているときに、前記第２の通信セッションの発信または着信が終了して、前記第２の通信セッションの配下の無線通信装置がアイドル状態となったときは、前記第２の通信セッションを切断する、
ことを特徴とする請求項１記載の通信システム。
【請求項４】
基地局装置において、
上位に対して第１の通信プロトコルでデータを伝送するための第１の通信セッションを確立して通信を行う第１の通信部と、
前記上位に対して前記第１の通信プロトコルとは異なる第２の通信プロトコルでデータを伝送するための第２の通信セッションを確立して通信を行う第２の通信部と、
前記第１の通信部および前記第２の通信部の制御を行う通信制御部と、
を備え、
前記通信制御部は、前記第１の通信セッションを切断し、前記第１の通信セッションに関する信号を、前記第２の通信セッションを用いて前記上位へ迂回転送させる、
ことを特徴とする基地局装置。
【請求項５】
基地局装置で通信セッションを確立して通信を行う際の通信方法において、
前記基地局装置は、
上位に対して第１の通信プロトコルでデータを伝送するための第１の通信セッションを確立して通信を行い、
前記上位に対して前記第１の通信プロトコルとは異なる第２の通信プロトコルでデータを伝送するための第２の通信セッションを確立して通信を行い、
装置起動時または前記第１の通信セッションの配下の無線通信装置がアイドル状態にある時は、前記第１の通信セッションを切断し、前記第１の通信セッションに関する信号を、前記第２の通信セッションを用いて前記上位へ迂回転送させる、
ことを特徴とする通信方法。
【発明の詳細な説明】
【技術分野】
【０００１】
本発明は、情報通信を行う通信システム、基地局装置および通信方法に関する。
【背景技術】
【０００２】
W−CDMA（Wideband Code Division Multiple Access）の3G（3rd Generation）方式の移動通信システムの普及は著しく、屋外の人口カバー率は１００％に近い状態となっている。ただし、屋内での人口カバー率は、電波が入りにくい点や、屋内用基地局の運用にコストがかかるなどの理由から、屋外と比べると高いものでは無かった。
【０００３】
一方、近年になって、フェムトセル（Femto Cell）と呼ばれる小型基地局が注目されている。これは、家庭やオフィスでの利用を想定した基地局であり、多くは3G方式に対応している。また、半径数１０ｍの範囲で４ユーザ程度の同時通信が可能であり、価格も安価である。
【０００４】
このようなフェムトセルを、既存の基地局でカバーしきれていない高層ビルや住宅街に配置することで、運用コストを上げずに屋内カバー率を向上させることができる。なお、LTE（Long Term Evolution）方式（3G方式に対応させて3.9G方式とも呼ばれる）に対応したフェムトセルの開発も行われている。
【０００５】
3G方式に対応したフェムトセルでは、上位に対して呼接続用の回線（セッション）を張る際は、3G方式用のセッションとしてIuhと呼ばれるセッションが張られる。また、LTE方式に対応したフェムトセルでは、上位に対してセッションを張る際は、LTE方式用のセッションとしてS1と呼ばれるセッションが張られることになる。
【０００６】
従来技術として、小型基地局を介して通信端末を接続する際に、認証に必要な暗号鍵の情報を小型基地局に取得させる技術が提案されている（特許文献１）。また、回線切換要求を発した移動端末にフェムトセルとは別の基地局を指示し、該移動端末とフェムトセルとの無線接続を停止させる技術が提案されている（特許文献２）。
【先行技術文献】
【特許文献】
【０００７】
【特許文献１】特開２００９−１０５７３９号公報
【特許文献２】特開２０１０−０１６６０２号公報
【発明の概要】
【発明が解決しようとする課題】
【０００８】
3G方式とLTE方式の両方に対応したフェムトセルとして、デュアルフェムトセルが開発されている。デュアルフェムトセルでは、3G方式およびLTE方式の双方の通信方式に対応するために、3G方式およびLTE方式それぞれのセキュリティゲートウェイ（SeGW：Security GateWay）設備に対して、IuhおよびS1のセッションを張ることになる。このため、通常のフェムトセルよりもセッションの消費量が２倍となる。
【０００９】
なお、セキュリティゲートウェイとは、IPsec（Security Architecture for Internet Protocol）のような暗号通信機能が実装されて、プロトコルの異なるネットワーク同士の接続を可能にするためのノードである。セキュリティゲートウェイは、ネットワークを介して上位に位置するキャリア局舎内に配置される。
【００１０】
ここで、LTE方式の黎明期から3G方式の終息期までの期間中においては、セキュリティゲートウェイに張られるセッション数は多くなることが予想される。セキュリティゲートウェイでは、張られるセッション数に限りがあるので、無駄なセッションの確立を抑制することが望まれる。
【００１１】
例えば、エリア内で3G方式またはLTE方式のどちらか一方のサービスしか利用されていない場合にも、常に両方式のセッションを確立しておくことは無駄であり、また、セキュリティゲートウェイおよびデュアルフェムトセルに対して余計な負荷がかかることになる。
【００１２】
本発明はこのような点に鑑みてなされたものであり、通信セッションの消費を抑制して通信効率の向上を図った通信システムを提供することを目的とする。
また、本発明の他の目的は、通信セッションの消費を抑制して通信効率の向上を図った基地局装置を提供することである。
【００１３】
さらに、本発明の他の目的は、通信セッションの消費を抑制して通信効率の向上を図った通信方法を提供することである。
【課題を解決するための手段】
【００１４】
上記課題を解決するために、通信システムが提供される。この通信システムは、第１の通信プロトコルでデータを伝送するための第１の通信セッションおよび前記第１の通信プロトコルとは異なる第２の通信プロトコルでデータを伝送するための第２の通信セッションの双方の通信機能を有する上位キャリアと、前記上位キャリアに対して前記第１の通信セッションを確立して通信を行う第１の通信部と、前記上位キャリアに対して前記第２の通信セッションを確立して通信を行う第２の通信部と、前記第１の通信部および前記第２の通信部の制御を行う通信制御部とを含む基地局装置とを備える。また、前記通信制御部は、前記第１の通信セッションを切断し、前記第１の通信セッションに関する信号を、前記第２の通信セッションを用いて前記上位キャリアへ迂回転送させる。
【発明の効果】
【００１５】
通信セッションの消費を抑制し、通信効率の向上を図ることが可能になる。
【図面の簡単な説明】
【００１６】
【図１】通信システムの構成例を示す図である。
【図２】無線通信システムの全体構成例を示す図である。
【図３】無線通信システムの全体構成例を示す図である。
【図４】システム全体動作を示すシーケンス図である。
【図５】フェムトセルセットアップ後のIuh回線切断動作のシーケンスを示す図である。
【図６】Iuh回線切断中の着信動作のシーケンスを示す図である。
【図７】Iuh回線切断中の着信動作のシーケンスを示す図である。
【図８】Iuh回線切断中の発信動作のシーケンスを示す図である。
【図９】Iuh回線切断中の発信動作のシーケンスを示す図である。
【図１０】配下全UEがアイドル状態に遷移した際のIuh回線切断動作のシーケンスを示す図である。
【図１１】フェムトセルセットアップ後のS1回線切断動作のシーケンスを示す図である。
【図１２】S1回線切断中の着信動作のシーケンスを示す図である。
【図１３】S1回線切断中の着信動作のシーケンスを示す図である。
【図１４】S1回線切断中の発信動作のシーケンスを示す図である。
【図１５】S1回線切断中の発信動作のシーケンスを示す図である。
【図１６】配下全UEがアイドル状態に遷移した際のS1回線切断動作のシーケンスを示す図である。
【図１７】セットアップ処理完了通知のデータ形式を示す図である。
【図１８】セットアップ処理完了通知に対する応答のデータ形式を示す図である。
【図１９】回線接続要求のデータ形式を示す図である。
【図２０】回線接続要求に対する応答のデータ形式を示す図である。
【図２１】回線切断要求のデータ形式を示す図である。
【図２２】回線切断要求に対する応答のデータ形式を示す図である。
【図２３】UE呼接続開始通知のデータ形式を示す図である。
【図２４】UE呼接続開始通知に対する応答のデータ形式を示す図である。
【図２５】全UEアイドル遷移通知のデータ形式を示す図である。
【図２６】全UEアイドル遷移通知に対する応答のデータ形式を示す図である。
【図２７】制御メッセージのデータ形式を示す図である。
【図２８】Iuhのプロトコルスタックを示す図である。
【図２９】S1のプロトコルスタックを示す図である。
【図３０】プロトコルスタックを示す図である。
【発明を実施するための形態】
【００１７】
以下、本発明の実施の形態を図面を参照して説明する。図１は通信システムの構成例を示す図である。通信システム１は、上位キャリア１０と基地局装置２０を有する。基地局装置２０は、第１の通信部２１、第２の通信部２２および通信制御部２３を含む。
【００１８】
上位キャリア１０は、第１の通信セッションおよび第２の通信セッションの双方の通信機能を有する。第１の通信部２１は、上位キャリア１０に対して第１の通信セッションを確立して通信を行う。第２の通信部２２は、上位キャリア１０に対して第２の通信セッションを確立して通信を行う。
【００１９】
通信制御部２３は、第１の通信部２１および第２の通信部２２に接続して、第１の通信部２１および第２の通信部２２の制御および装置全体の制御を行う。また、通信制御部２３は、装置起動時または第１の通信セッションの配下の無線通信装置（携帯電話機等）がアイドル状態の時、第１の通信セッションを切断し、第１の通信セッションに関する信号を、第２の通信セッションを用いて上位キャリア１０へ迂回転送する。
【００２０】
ここで、第１の通信部２１で転送される第１の通信セッションに関する信号は、本来は第１の通信セッションによって上位キャリア１０へ転送されるが、第１の通信セッションが切断している。
【００２１】
このため、第１の通信セッションに関する信号は、通信制御部２３の指示により、第２の通信部２２へ送信され、第２の通信セッションを用いて上位キャリア１０へ転送されることになる。
【００２２】
次に通信システム１を3G方式およびLTE方式の双方の通信を行う無線通信システムに適用した場合の構成および動作について説明する。図２、図３は無線通信システムの全体構成例を示す図である。無線通信システム１ａは、移動体通信キャリア１０ａ（上位キャリア１０が含まれる）、デュアルフェムトセル２０（基地局装置２０に該当）および携帯電話機等のUE（User Equipment）３０を備える。
【００２３】
移動体通信キャリア１０ａは、ネットワーク４０を介して、デュアルフェムトセル２０と接続する。ネットワーク４０は、例えば、Internet網およびIntranet網などのブロードバンドネットワークである（公衆回線を含んでもよい）。また、デュアルフェムトセル２０とUE３０は、無線で接続する。
【００２４】
なお、UE３０は、3G方式およびLTE方式の両方に対応可能な無線通信装置として示しているが、デュアルフェムトセル２０には、3G方式のみの通信を行うUEや、LTE方式のみの通信を行うUEも接続する（これらのUEの図示は省略している）。
【００２５】
移動体通信キャリア１０ａの構成要素について説明する。移動体通信キャリア１０ａは、UE３０に対して通信サービスを提供する。移動体通信キャリア１０ａは、3Gコアネットワーク１１、LTEコアネットワーク１２、3GフェムトGW（ゲートウェイ）１３、LTEフェムトGW１４およびフェムトセルマネジメントサーバ１５を備える。
【００２６】
（3Gコアネットワーク１１）
3Gコアネットワーク１１は、3G方式の通信を終端するコアネットワークであり、MSC（Mobile Switching Center）１１ａおよびSGSN（Serving General packet radio service Support Node）１１ｂを含む。
【００２７】
MSC１１ａは、3Gの音声通信を終端／交換するコアノード装置である。なお、MSC１１ａにおける制御信号をIu−CS C−Planeと呼び、音声のU−Plane信号をIu−CS U−Planeと呼ぶ。
【００２８】
SGSN１１ｂは、3Gのパケット通信を終端するコアノード装置である。なお、SGSN１１ｂにおけるパケット通信の制御信号をIu−CS U−Planeと呼び、パケット通信のU−Plane信号はIu−PS U−Planeと呼ぶ。
【００２９】
（LTEコアネットワーク１２）
LTEコアネットワーク１２は、LTE方式の通信を終端するコアネットワークであり、MME（Mobile Management Entity）１２ａおよびS−GW（Serving−GateWay）１２ｂを含む。
【００３０】
MME１２ａは、LTEのパケット通信の制御信号を終端するコアノード装置である。制御信号をS1−MMEと呼ぶ。S−GW１２ｂは、LTEのパケット通信のU−Plane信号を終端するコアノード装置である。U−Plane信号をS1−Uと呼ぶ。
【００３１】
（3GフェムトGW１３）
3GフェムトGW１３は、3G方式のフェムトセル（HNB：Home Node B）の通信プロトコルを終端するGW設備である。なお、3G方式に対応したフェムトセルは、HNBと呼ばれる。3GフェムトGW１３は、HNB−GW１３ａおよびHNB−GW向けSeGW１３ｂを含む。
【００３２】
HNB−GW１３ａは、3Gフェムトセル部２１との通信を終端し、上位のMSC１１ａおよびSGSN１１ｂへ信号を転送する。3Gフェムトセル部２１とのインタフェース名はIuhであり、音声の制御信号をIuh−CS C−Plane、音声のU−Plane信号をIuh−CS U−Planeと呼ぶ。また、パケット通信の制御信号をIuh−PS C−Plane、パケット通信のU−Plane信号をIuh−PS U−Planeと呼ぶ。
【００３３】
さらに、3Gフェムトセル部２１のセットアップと、UE３０の登録処理とのために、HNB−GW１３ａは、3Gフェムトセル部２１内のプロトコル終端部２１ｂとの間で、HNBAP（HNB Application Part）プロトコルを終端する。
【００３４】
さらにまた、HNB−GW１３ａは、LTEフェムトGW１４内のHeNB−GW１４ａとのインタフェースを終端し、フェムトセルマネジメントサーバ１５のHMS（HNB Management System）１５ａから送信された回線接続要求および回線切断要求を受信して、回線状態の変更を実施する。
【００３５】
（HNB−GW向けSeGW１３ｂ）
HNB−GW向けSeGW１３ｂは、ネットワーク４０を介してデュアルフェムトセル２０内の3Gフェムトセル部２１と通信を行う。HNB−GW向けSeGW１３ｂは、3Gフェムトセル部２１内の回線終端部２１ａに対してIPsecセッションの確立を実施する。
【００３６】
（LTEフェムトGW１４）
LTEフェムトGW１４は、LTE方式のフェムトセル（HeNB：Home eNode B）の通信プロトコルを終端するGW設備である。なお、LTE方式に対応したフェムトセルは、HeNBとも呼ばれる。LTEフェムトGW１４は、HeNB−GW１４ａおよびHeNB−GW向けSeGW１４ｂを含む。
【００３７】
HeNB−GW１４ａは、LTEフェムトセル部２２との通信を終端し、上位のMME１２ａ、S−GW１２ｂへ信号を転送するGWである。LTEフェムトセル部２２とのインタフェース名はS1であり、パケット通信の制御信号をS1−MME、パケット通信のU−Plane信号をS1−Uと呼ぶ。
【００３８】
また、HeNB−GW１４ａは、3GフェムトGW１３内のHNB−GW１３ａとのインタフェースを終端し、フェムトセルマネジメントサーバ１５内のHMS１５ａから送信された回線接続要求および回線切断要求を受信して、回線状態の変更を実施する。
【００３９】
HeNB−GW向けSeGW１４ｂは、ネットワーク４０を介してデュアルフェムトセル２０内のLTEフェムトセル部２２と通信を行うためのSeGWである。HeNB−GW向けSeGW１４ｂは、LTEフェムトセル部２２内の回線終端部２２ａに対してIPsecセッションの確立を実施する。
【００４０】
（フェムトセルマネジメントサーバ１５）
フェムトセルマネジメントサーバ１５は、複数台のデュアルフェムトセル２０を管理するための保守・管理ノードであり、HMS１５ａおよびHMS向けSeGW１５ｂを含む。
【００４１】
HMS１５ａは、デュアルフェムトセル２０内のマネジメント部２３とTR−069プロトコル等の制御プロトコルを用いて通信を行い、3G方式の通信経路およびLTE方式の通信経路の制御を行う（標準化上のHMS機能についての説明は割愛する）。なお、TR−069は、Broadband Forumにて規定されているCPE WAN Management Protocolである（CPEはCustomer Premises Equipmentの略、WANはWide Area Networkの略）。
【００４２】
HMS向けSeGW１５ｂは、ネットワーク４０を介して、マネジメント部２３と通信を行うためのSeGWである。HMS向けSeGW１５ｂは、マネジメント部２３内の回線終端部２３ａに対してIPsecセッションの確立を実施する。
【００４３】
次にデュアルフェムトセル２０の構成要素について説明する。デュアルフェムトセル２０は、家庭やオフィス、商業施設での利用を想定したもので、3G方式およびLTE方式の双方に対応し、４ユーザ程度の同時通信を可能にする超小型基地局である。デュアルフェムトセル２０は、3Gフェムトセル部２１（第１の通信部２１に該当）、LTEフェムトセル部２２（第２の通信部２２に該当）およびマネジメント部２３（通信制御部２３に該当）を備える。
【００４４】
（3Gフェムトセル部２１）
3Gフェムトセル部２１は、3G方式の通信に必要な機能を有している機能部であり、回線終端部２１ａ、プロトコル終端部２１ｂおよび無線部２１ｃを含む。
【００４５】
回線終端部２１ａは、ネットワーク４０を介して、上位の3GフェムトGW１３内のHNB−GW１３ａと通信を行うためのSeGWである。回線終端部２１ａは、3GフェムトGW１３内のHNB−GW向けSeGW１３ｂに対してIPsecセッションの確立を実施する。また、マネジメント部２３内の制御部２３ｂから送信された回線接続要求および回線切断要求を受信して、回線状態の変更を実施する。
【００４６】
プロトコル終端部２１ｂは、Iuhインタフェースのプロトコルを終端する機能部である。具体的にはIuh−CS C−Plane、Iuh−CS U−Plane、Iuh−PS C−Plane、Iuh−PS U−Plane、Iuh HNBAPを終端する。また、LTEフェムトセル部２２部内のプロトコル終端部２２ｂとの間で、HNBとHeNB間とのインタフェースを終端する。
【００４７】
さらに、マネジメント部２３内の制御部２３ｂから送信された回線接続要求および回線切断要求を受信して、回線状態の変更を実施する。さらにまた、UE３０の通信状態に合わせてセットアップ処理完了通知、UE呼接続開始通知、全UEアイドル遷移通知を制御部２３ｂに送信する。
【００４８】
無線部２１ｃは、3G方式およびLTE方式の両方に対応するUE３０や、通常の3G方式対応UEとの間で、3G方式による無線通信を行う機能部である。この無線インタフェースは3GPP（3rd Generation Partnership Project）上、Uuと呼ばれる（詳細は割愛する）。
【００４９】
（LTEフェムトセル部２２）
LTEフェムトセル部２２は、LTE方式の通信に必要な機能を有している機能部であり、回線終端部２２ａ、プロトコル終端部２２ｂおよび無線部２２ｃを含む。
【００５０】
回線終端部２２ａは、ネットワーク４０を介して、上位のLTEフェムトGW１４内のHeNB−GW１４ａと通信を行うためのSeGWである。回線終端部２２ａは、LTEフェムトGW１４内のHeNB−GW向けSeGW１４ｂに対してIPsecセッションの確立を実施する。また、マネジメント部２３内の制御部２３ｂから送信された回線接続要求および回線切断要求を受信して、回線状態の変更を実施する。
【００５１】
プロトコル終端部２２ｂは、S1インタフェースのプロトコルを終端する機能部である。具体的にはS1−MME、S1−Uを終端する。また、3Gフェムトセル部２１内のプロトコル終端部２１ｂとの間でHNBとHeNB間のインタフェースを終端する。
【００５２】
さらに、マネジメント部２３内の制御部２３ｂから送信された回線接続要求および回線切断要求を受信して、回線状態の変更を実施する。さらにまた、UE３０の通信状態に合わせてセットアップ処理完了通知、UE呼接続開始通知、全UEアイドル遷移通知を制御部２３ｂに送信する。
【００５３】
無線部２２ｃは、3G方式およびLTE方式の両方に対応するUE３０や、通常のLTE方式対応UEとの間で、LTE方式による無線通信を行う機能部である。この無線インタフェースは3GPP上、LTE−Uuと呼ばれる（詳細は割愛する）。
【００５４】
（マネジメント部２３）
マネジメント部２３は、3Gフェムトセル部２１およびLTEフェムトセル部２２からセットアップ処理完了通知、UE呼接続開始通知、全UEアイドル遷移通知を受信する。そして、上位のフェムトセルマネジメントサーバ１５とTR−069プロトコル等を用いて通信を行い、回線の接続や切断の指示を行う。マネジメント部２３は、回線終端部２３ａと制御部２３ｂを含む。
【００５５】
回線終端部２３ａは、ネットワーク４０を介して、上位のフェムトセルマネジメントサーバ１５内のHMS１５ａと通信を行うためのSeGWである。回線終端部２３ａは、フェムトセルマネジメントサーバ１５のHMS向けSeGW１５ｂに対してIPsecセッションの確立を実施する。
【００５６】
制御部２３ｂは、3Gフェムトセル部２１内のプロトコル終端部２１ｂおよびLTEフェムトセル部２２内のプロトコル終端部２２ｂからセットアップ処理完了通知、UE呼接続開始通知、全UEアイドル遷移通知を受信し、回線の接続や切断の指示を行う。
【００５７】
次にUE３０の構成要素について説明する。UE３０は、ユーザがデュアルフェムトセル２０を用いて通信する際のUEの一形態である。このUE３０の他に、3G方式専用UE、LTE方式専用UEがある。これらのUEを用いることで、ネットワーク４０を介して音声等の通信を行うことが可能である。UE３０は、3G通信部３１、LTE通信部３２および上位アプリケーション３３を含む。
【００５８】
（3G通信部３１）
3G通信部３１は、3G方式での通信を行う機能部であり、無線部３１ａを含む。無線部３１ａは、3G方式の無線IF Uuを終端する（詳細は割愛する）。
【００５９】
（LTE通信部３２）
LTE通信部３２は、LTE方式での通信を行う機能部であり、無線部３２ａを含む。無線部３２ａは、LTE方式の無線IF LTE−Uuを終端する（詳細は割愛する）。
【００６０】
（上位アプリケーション３３）
上位アプリケーション３３は、無線レイヤより上位の処理を行う機能部である（詳細は割愛する）。
【００６１】
次に無線通信システム１ａの動作について詳しく説明する。無線通信システム１ａでは、3G方式用のセッション（Iuh）、LTE方式用のセッション（S1）のうち、どちらか一方をセカンダリ（予備回線）とし、初回のフェムトセル起動時、セカンダリのセッションを切断する。
【００６２】
切断された通信方式の制御信号（SCTP（Stream Control Transmission Protocol）レイヤのヘルスチェック信号等）については、切断されていない一方の通信方式を用いて迂回転送する。この場合、切断された通信方式の配下にあるアイドル状態のUEが発信もしくは着信をした場合は、それを契機に当該通信方式のセッションを改めて張り、他方の通信方式からの迂回転送は終了する。その後、いずれかの通信方式の発信／着信がすべて終了し、すべてのUEの通信状態がアイドル状態となった場合には、当該通信方式のセッションを切断する。
【００６３】
図４はシステム全体動作を示すシーケンス図である。図４では、通信動作開始時はS1回線をプライマリ、Iuh回線をセカンダリとして記載している（図中、詳細な制御信号は割愛している。
【００６４】
なお、以降の説明では、回線切断、回線接続の契機は、デュアルフェムトセル２０の各機能部が判断するケースを例に説明する（他の例としてHNB−GW側が判断するケースもあるが、動作は同様のため割愛する）。
【００６５】
〔Ｓ１−１〕Iuh回線側において、HNB Register手順が実施される。なお、Iuh回線は、Iuhのプロトコルのデータが流れる論理回線である。
〔Ｓ１−２〕S1回線側において、S1 Setup手順が実施される。なお、S1回線は、S1のプロトコルのデータが流れる論理回線である。
【００６６】
〔Ｓ１−３〕Iuh回線側から制御回線側へ、セットアップ完了通知が送信される。
〔Ｓ１−４〕制御回線側からS1回線側へ、Iuh回線の設定要求が送信される。
〔Ｓ１−５〕S1回線側において、Iuh回線の迂回転送が実施される。
【００６７】
〔Ｓ１−６〕Iuh回線が切断される。
〔Ｓ１−７〕3Gフェムトセルの配下にいるUEの位置登録処理は、迂回回線上にて実施される。
【００６８】
〔Ｓ２−１〕Iuh回線側において、UE３０からの発信／着信が検知され、制御回線側へ回線設定要求が送信される。
〔Ｓ２−２〕制御回線側からS1回線側へ、Iuh回線の設定解除要求が送信される。
【００６９】
〔Ｓ２−３〕Iuh回線の迂回転送が停止する。
〔Ｓ２−４〕Iuh回線側において、全UEがアイドル状態に遷移し、制御回線側へ回線切断要求が送信される。
【００７０】
〔Ｓ２−５〕制御回線側からS1回線側へ、Iuh回線の設定要求が送信される。
〔Ｓ２−６〕S1回線側において、Iuh回線の迂回転送が実施される。
〔Ｓ２−７〕Iuh回線が切断される。
【００７１】
〔Ｓ３−１〕Iuh回線側において、UE３０からの発信／着信が検知され、制御回線側へ回線設定要求が送信される。
〔Ｓ３−２〕制御回線側からS1回線側へ、Iuh回線の設定解除要求が送信される。
【００７２】
〔Ｓ３−３〕Iuh回線の迂回転送が停止する。
〔Ｓ３−４〕S1回線側において、全UEがアイドル状態に遷移し（3Gフェムトセル配下にいるUE３０の通信中にS1フェムトセル配下の全UEがアイドル状態に遷移する）、制御回線側へ回線切断要求が送信される。
【００７３】
〔Ｓ３−５〕制御回線側からIuh回線側へ、S1回線の設定要求が送信される。
〔Ｓ３−６〕Iuh回線側において、S1回線の迂回転送が実施される。
〔Ｓ３−７〕S1回線が切断される。
【００７４】
次に無線通信システム１ａの詳細動作について説明する。無線通信システム１ａにおいて、迂回転送を行う場合には、Iuhを切断してS1によりIuhの迂回転送を行う場合と、S1を切断してIuhによりS1の迂回転送を行う場合とがある。
【００７５】
Iuhを切断してS1によりIuhの迂回転送を行う場合には、主に以下の（１）〜（５）の５項目の動作が挙げられる。（１）フェムトセルセットアップ後のIuh回線切断動作、（２）Iuh回線切断中の通信動作、（３）Iuh回線切断中の着信動作、（４）Iuh回線切断中の発信動作、（５）配下全UEがアイドル状態に遷移した際のIuh回線切断動作。
【００７６】
また、S1を切断してIuhによりS1の迂回転送を行う場合には、主に以下の（６）〜（１０）の５項目の動作が挙げられる。（６）フェムトセルセットアップ後のS1回線切断動作、（７）S1回線切断中の通信動作、（８）S1回線切断中の着信動作、（９）S1回線切断中の着信動作、（１０）配下全UEがアイドル状態に遷移した際のS1回線切断動作。以下、各項目について説明する。
【００７７】
（１）フェムトセルセットアップ後のIuh回線切断動作
図５はフェムトセルセットアップ後のIuh回線切断動作のシーケンスを示す図である。
〔Ｓ１〕デュアルフェムトセル２０の電源投入直後やリブート時、3Gフェムトセル部２１の回線終端部２１ａは、3GフェムトGW１３内のHNB−GW向けSeGW１３ｂとIPsecのセッションを張る。
【００７８】
〔Ｓ２〕プロトコル終端部２１ｂは、HNB−GW１３ａと接続処理を行う（3GPP標準化上は、SCTPレイヤの接続後にHNBAPプロトコルにてHNB REGISTER処理を実施する）。
〔Ｓ３〕プロトコル終端部２１ｂは、制御部２３ｂに対し、セットアップ処理完了通知を送信する。
【００７９】
〔Ｓ４〕上記メッセージを受信した制御部２３ｂは、フェムトセルマネジメントサーバ１５内のHMS１５ａに対し、回線接続要求を送信する。また、制御部２３ｂは、LTEフェムトセル部２２内のプロトコル終端部２２ｂに対し回線接続要求を送信する。
【００８０】
〔Ｓ５〕上記メッセージを受信したHMS１５ａは、HNB−GW１３ａとHeNB−GW１４ａに対し回線接続要求を送信する。
〔Ｓ６〕制御部２３ｂは、プロトコル終端部２１ｂおよび回線終端部２１ａに回線切断要求を送信する。
【００８１】
〔Ｓ７〕通常のIuh回線は切断され、S1を利用した迂回回線を経由してIuhの通信が行われる。
上記のようなフェムトセルセットアップ後のIuh回線切断動作により、HNB−GW向けSeGW１３ｂと回線終端部２１ａ間のIPsecセッションを削減できるので、通信セッションの消費を抑制し、HNB−GW向けSeGW１３ｂおよびデュアルフェムトセル２０のセッション負荷を低減することが可能になる。
【００８２】
（２）Iuh回線切断中の通信動作
プロトコル終端部２１ｂは、プロトコル終端部２２ｂに対し、HNB−GW１３ａ向けの上りパケットを送信し、プロトコル終端部２２ｂは、上記のパケットをS1パケットにカプセリングし、HeNB−GW１４ａに送信する。
【００８３】
また、HeNB−GW１４ａは、上記パケットをデカプセリングし、HNB−GW１３ａに転送する。なお、下りパケットについても同様にHNB−GW１３ａ→HeNB−GW１４ａ→プロトコル終端部２２ｂ→プロトコル終端部２１ｂと送信する。
【００８４】
上記のようなIuh回線切断中の通信動作により、HNB−GW向けSeGW１３ｂ、回線終端部２１ａ間のIPsecセッションが無い状態での通信を実現し、HNB−GW向けSeGW１３ｂおよびデュアルフェムトセル２０のセッション負荷を低減することが可能になる。
【００８５】
（３）Iuh回線切断中の着信動作
図６、図７はIuh回線切断中の着信動作のシーケンスを示す図である。
〔Ｓ１１〕Iuh回線切断中に3Gフェムトセル部２１配下のUEに対して着信があった際は、プロトコル終端部２１ｂが、S1を利用した迂回回線を経由してHNB−GW１３ａから送信されるPaging信号を受信する（3GPP標準化上、RUAプロトコルのConnectionless Transfer（RANAP Paging）を受信する）。
【００８６】
〔Ｓ１２〕プロトコル終端部２１ｂは、無線部２１ｃを経由しUE３０内の3G通信部３１とRRC（Radio Resource Control）コネクションをセットアップする。
〔Ｓ１３〕プロトコル終端部２１ｂは、S1を利用した迂回回線を経由してHNB−GW１３ａに対してUE登録処理を実施する（3GPP標準化上、HNBAPプロトコルのUE REGISTER処理を実施する）。
【００８７】
〔Ｓ１４〕プロトコル終端部２１ｂは、制御部２３ｂに対し、UE呼接続開始通知を送信する。
〔Ｓ１５〕上記メッセージを受信した制御部２３ｂは、回線終端部２１ａとプロトコル終端部２１ｂに回線接続要求を送信する。
【００８８】
〔Ｓ１５ａ〕HNB−GW向けSeGW１３ｂと回線終端部２１ａ間にIPsecセッションが張られる。
〔Ｓ１６〕制御部２３ｂは、フェムトセルマネジメントサーバ１５内のHMS１５ａに対し、回線切断要求を送信する。また、制御部２３ｂは、LTEフェムトセル部２２内のプロトコル終端部２２ｂに対し回線切断要求を送信する。
【００８９】
〔Ｓ１７〕上記メッセージを受信したHMS１５ａは、HNB−GW１３ａとHeNB−GW１４ａに対し回線切断要求を送信する。
〔Ｓ１８〕通常のIuh回線が接続され、S1を利用した迂回回線が解除される。
【００９０】
上記のようなIuh回線切断中の着信動作により、着信を契機に通常の経路に戻し、迂回経路上での負荷を分散することが可能になる。
（４）Iuh回線切断中の発信動作
図８、図９はIuh回線切断中の発信動作のシーケンスを示す図である。
【００９１】
〔Ｓ２１〕Iuh回線切断中に3Gフェムトセル部２１配下のUEが発信を行う。
〔Ｓ２２〕プロトコル終端部２１ｂは、無線部２１ｃを経由しUE３０内の3G通信部３１とRRCコネクションをセットアップする。以降の動作は、図６、図７のステップＳ１３〜ステップＳ１８と同じである。
【００９２】
上記のようなIuh回線切断中の発信動作により、発信を契機に通常の経路に戻すことで、迂回経路上での負荷を分散することが可能になる。
（５）配下全UEがアイドル状態に遷移した際のIuh回線切断動作
図１０は配下全UEがアイドル状態に遷移した際のIuh回線切断動作のシーケンスを示す図である。
【００９３】
〔Ｓ３１〕上記に示した（３）のIuh回線切断中の着信動作や（４）のIuh回線切断中の発信動作が終了した場合、プロトコル終端部２１ｂは、自身の配下全UEがアイドル状態に遷移したと判断し、制御部２３ｂに対し、全UEアイドル遷移通知を送信する。
【００９４】
〔Ｓ３２〕上記メッセージを受信した制御部２３ｂは、LTE方式側のS1回線が切断されていないことを確認する。切断されていない場合は、以降の動作は、図５のステップＳ４〜ステップＳ７と同じとなる。
【００９５】
上記のような配下全UEがアイドル状態に遷移した際のIuh回線切断動作により、全UEがアイドル状態になったことを契機にHNB−GW向けSeGW１３ｂと回線終端部２１ａ間のIPsecセッションを切断することで、通信セッションの消費を抑制し、HNB−GW向けSeGW１３ｂおよびデュアルフェムトセル２０のセッション負荷を低減することが可能になる。
【００９６】
（６）フェムトセルセットアップ後のS1回線切断動作
図１１はフェムトセルセットアップ後のS1回線切断動作のシーケンスを示す図である。
〔Ｓ４１〕デュアルフェムトセル２０の電源投入直後やリブート時、LTEフェムトセル部２２内の回線終端部２２ａは、LTEフェムトGW１４内のHeNB−GW向けSeGW１４ｂとIPsecのセッションを張る。
【００９７】
〔Ｓ４２〕プロトコル終端部２２ｂは、HeNB−GW１４ａと接続処理を行う（3GPP標準化上は、SCTPレイヤの接続後にS1−AP（S1−Application Part）プロトコルにてS1 SETUP処理を実施する）。
【００９８】
〔Ｓ４３〕プロトコル終端部２２ｂは、制御部２３ｂに対し、セットアップ処理完了通知を送信する。
〔Ｓ４４〕上記メッセージを受信した制御部２３ｂは、フェムトセルマネジメントサーバ１５内のHMS１５ａに対し、回線接続要求を送信する。また、制御部２３ｂは、3Gフェムトセル部２１内のプロトコル終端部２１ｂに対し回線接続要求を送信する。
【００９９】
〔Ｓ４５〕上記メッセージを受信したHMS１５ａは、HNB−GW１３ａとHeNB−GW１４ａに対し回線接続要求を送信する。
〔Ｓ４６〕制御部２３ｂは、プロトコル終端部２２ｂおよび回線終端部２２ａに回線切断要求を送信する。
【０１００】
〔Ｓ４７〕通常のS1回線は切断され、Iuhを利用した迂回回線を経由してS1の通信を行う。
上記のようなフェムトセルセットアップ後のS1回線切断動作により、HeNB−GW向けSeGW１４ｂと回線終端部２２ａ間のIPsecセッションを削減できるので、通信セッションの消費を抑制し、HeNB−GW向けSeGW１４ｂおよびデュアルフェムトセル２０のセッション負荷を低減することが可能になる。
【０１０１】
（７）S1回線切断中の通信動作
プロトコル終端部２２ｂは、プロトコル終端部２１ｂに対しHeNB−GW１４ａ向けの上りパケットを送信する。プロトコル終端部２１ｂは、上記のパケットをIuhパケットにカプセリングし、HNB−GW１３ａに送信する。
【０１０２】
HNB−GW１３ａは、上記パケットをデカプセリングし、HeNB−GW１４ａに転送する。下りパケットについても同様にHeNB−GW１４ａ→HNB−GW１３ａ→プロトコル終端部２１ｂ→プロトコル終端部２２ｂと送信する。
【０１０３】
上記のようなS1回線切断中の通信動作により、HeNB−GW向けSeGW１４ｂと回線終端部２２ａ間のIPsecセッションが無い状態での通信を実現し、HeNB−GW向けSeGW１４ｂおよびデュアルフェムトセル２０のセッション負荷を低減することが可能になる。
【０１０４】
（８）S1回線切断中の着信動作
図１２、図１３はS1回線切断中の着信動作のシーケンスを示す図である。
〔Ｓ５１〕S1回線切断中にLTEフェムトセル部２２配下のUEに対して着信があった際は、プロトコル終端部２２ｂが、Iuhを利用した迂回回線を経由してHeNB−GW１４ａから送信されるPaging信号を受信する（3GPP標準化上、S1−APプロトコルのPagingを受信する）。
【０１０５】
〔Ｓ５２〕プロトコル終端部２２ｂは、無線部２２ｃを経由しUE３０内のLTE通信部３２とRRCコネクションをセットアップする。
〔Ｓ５３〕プロトコル終端部２２ｂは、Iuhを利用した迂回回線を経由してHeNB−GW１４ａに対して発信処理を実施する（3GPP標準化上、S1−APプロトコルのINITIAL UE MESSAGEを送信する）。
【０１０６】
〔Ｓ５４〕プロトコル終端部２２ｂは、制御部２３ｂに対し、UE呼接続開始通知を送信する。
〔Ｓ５５〕上記メッセージを受信した制御部２３ｂは、回線終端部２２ａとプロトコル終端部２２ｂに回線接続要求を送信する。
【０１０７】
〔Ｓ５５ａ〕HeNB−GW向けSeGW１４ｂと回線終端部２２ａ間にIPsecセッションが張られる。
〔Ｓ５６〕制御部２３ｂは、フェムトセルマネジメントサーバ１５内のHMS１５ａに対し、回線切断要求を送信する。また、制御部２３ｂは、3Gフェムトセル部２１内のプロトコル終端部２１ｂに対し回線切断要求を送信する。
【０１０８】
〔Ｓ５７〕上記メッセージを受信したHMS１５ａは、HNB−GW１３ａとHeNB−GW１４ａに対し回線切断要求を送信する。
〔Ｓ５８〕通常のS1回線が接続され、Iuhを利用した迂回回線が解除される。
【０１０９】
上記のようなS1回線切断中の着信動作により、着信を契機に通常の経路に戻すことで、迂回経路上での負荷を分散することが可能になる。
（９）S1回線切断中の発信動作
図１４、図１５はS1回線切断中の発信動作のシーケンスを示す図である。
【０１１０】
〔Ｓ６１〕S1回線切断中にLTEフェムトセル部２２配下のUEが発信を行う。
〔Ｓ６２〕プロトコル終端部２２ｂが、無線部２２ｃを経由しUE３０内のLTE通信部３２とRRCコネクションをセットアップする。以降の動作は、図１２、図１３のステップＳ５３〜ステップＳ５８と同じである。
【０１１１】
上記のようなS1回線切断中の発信動作により、発信を契機に通常の経路に戻すことで、迂回経路上での負荷を分散することが可能になる。
（１０）配下全UEがアイドル状態に遷移した際のS1回線切断動作
図１６は配下全UEがアイドル状態に遷移した際のS1回線切断動作のシーケンスを示す図である。
【０１１２】
〔Ｓ７１〕上記の（８）のS1回線切断中の着信動作や（９）のS1回線切断中の発信動作が終了した場合、プロトコル終端部２２ｂは、自身の配下全UEがアイドル状態に遷移したと判断し、制御部２３ｂに対し、全UEアイドル遷移通知を送信する。
【０１１３】
〔Ｓ７２〕上記メッセージを受信した制御部２３ｂは、3G方式側のIuh回線が切断されていないことを確認する。切断されていない場合は、以降の動作は、図１１のステップＳ４４〜ステップＳ４７と同じとなる。
【０１１４】
上記のような、配下全UEがアイドル状態に遷移した際のS1回線切断動作により、全UEがアイドル状態になったことを契機に、HeNB−GW向けSeGW１４ｂと回線終端部２２ａ間のIPsecセッションを切断することで、通信セッションの消費を抑制し、HeNB−GW向けSeGW１４ｂおよびデュアルフェムトセル２０のセッション負荷を低減することが可能になる。
【０１１５】
次に各種メッセージのデータ形式（メッセージフォーマット）について説明する。図１７はセットアップ処理完了通知のデータ形式を示す図である。セットアップ処理完了通知メッセージｍ１は、項目として、メッセージ名、自ノード名、フェムトセル側接続情報およびフェムトGW側接続情報を有する。
【０１１６】
各項目の例としては、メッセージ名は、セットアップ処理完了通知と記載し、自ノード名は、3GフェムトセルまたはLTEフェムトセルのいずれかを記載する。フェムトセル側接続情報は、フェムトセルの接続設定情報として、IP（Internet Protocol）アドレス、ポート番号、SCTPのポイントコード、GTP-U（GPRS（General Packet Radio Service） Tunneling Protocol−User plane）のTEID（Tunnel Endpoint Identifier）等を必要な分だけ記載する。フェムトGW側接続情報は、フェムトGWの接続設定情報として、IPアドレス、ポート番号、SCTPのポイントコード、GTP-UのTEID等を必要な分だけ記載する。
【０１１７】
図１８はセットアップ処理完了通知に対する応答のデータ形式を示す図である。セットアップ処理完了通知応答メッセージｍ１ｒは、項目として、メッセージ名、自ノード名および接続結果を有する。
【０１１８】
各項目の例として、メッセージ名は、セットアップ処理完了通知に対する応答と記載し、自ノード名は、マネジメント部と記載し、接続結果は、成功、失敗のいずれかを記載する。
【０１１９】
図１９は回線接続要求のデータ形式を示す図である。回線接続要求メッセージｍ２は、項目として、メッセージ名、通信断ノード名、フェムトセル側接続情報およびフェムトGW側接続情報を有する。
【０１２０】
各項目の例として、メッセージ名は、回線接続要求と記載し、通信断ノード名は、HMSまたはマネジメント部のいずれかを記載する。フェムトセル側接続情報は、フェムトセルの接続設定情報として、IPアドレス、ポート番号、SCTPのポイントコード、GTP-UのTEID等を必要な分だけ記載する。フェムトGW側接続情報は、フェムトGWの接続設定情報として、IPアドレス、ポート番号、SCTPのポイントコード、GTP-UのTEID等を必要な分だけ記載する。
【０１２１】
なお、回線接続要求メッセージｍ２の送信契機は、セットアップ処理完了通知またはUE呼接続開始通知、全UEアイドル遷移通知のメッセージを受信した制御部２３ｂが送信する。または、制御部２３ｂから回線接続要求を受信したHMS１５ａが送信する（フェムトセル側接続情報およびフェムトGW側接続情報の値は、直前に受信したメッセージの設定内容を用いる）。
【０１２２】
図２０は回線接続要求に対する応答のデータ形式を示す図である。回線接続要求応答メッセージｍ２ｒは、項目として、メッセージ名、自ノード名、接続結果を有する。
各項目の例として、メッセージ名は、回線接続要求に対する応答と記載し、自ノード名は、自身のノード名をHeNB−GW、HNB−GW、3Gフェムトセル、LTEフェムトセル、HMSのいずれかを記載する。接続結果は、成功、失敗のいずれかを記載する。
【０１２３】
図２１は回線切断要求のデータ形式を示す図である。回線切断要求メッセージｍ３は、項目として、メッセージ名、送信ノード名、フェムトセル側接続情報およびフェムトＧＷ側接続情報を有する。
【０１２４】
各項目の例として、メッセージ名は、回線切断要求と記載し、送信ノード名は、HMSまたはマネジメント部のいずれかを記載する。フェムトセル側接続情報は、フェムトセルの接続設定情報として、IPアドレス、ポート番号、SCTPのポイントコード、GTP-UのTEID等を必要な分だけ記載する。フェムトGW側接続情報は、フェムトＧＷの接続設定情報として、IPアドレス、ポート番号、SCTPのポイントコード、GTP-UのTEID等を必要な分だけ記載する。
【０１２５】
なお、回線切断要求メッセージｍ３の送信契機は、セットアップ処理完了通知またはUE呼接続開始通知、全UEアイドル遷移通知のメッセージを受信した制御部２３ｂが送信する。または、制御部２３ｂから回線切断要求を受信したHMS１５ａが送信する（フェムトセル側接続情報およびフェムトGW側接続情報の値は、直前に受信したメッセージの設定内容を用いる）。
【０１２６】
図２２は回線切断要求に対する応答のデータ形式を示す図である。回線切断要求応答メッセージｍ３ｒは、項目として、メッセージ名、自ノード名、接続結果を有する。
各項目の例として、メッセージ名は、回線切断要求に対する応答と記載し、自ノード名は、自身のノード名をHeNB−GW、HNB−GW、3Gフェムトセル、LTEフェムトセル、HMSのいずれかを記載する。接続結果は、成功、失敗のいずれかを記載する。
【０１２７】
図２３はUE呼接続開始通知のデータ形式を示す図である。UE呼接続開始通知メッセージｍ４は、項目として、メッセージ名、送信ノード名、フェムトセル側接続情報およびフェムトＧＷ側接続情報を有する。
【０１２８】
各項目の例として、メッセージ名は、UE呼接続開始通知と記載し、送信ノード名は、3GフェムトセルまたはLTEフェムトセルのいずれかを記載する。フェムトセル側接続情報は、フェムトセルの接続設定情報として、IPアドレス、ポート番号、SCTPのポイントコード、GTP-UのTEID等を必要な分だけ記載する。フェムトGW側接続情報は、フェムトＧＷの接続設定情報として、IPアドレス、ポート番号、SCTPのポイントコード、GTP-UのTEID等を必要な分だけ記載する。
【０１２９】
図２４はUE呼接続開始通知に対する応答のデータ形式を示す図である。UE呼接続開始通知応答メッセージｍ４ｒは、項目として、メッセージ名、自ノード名、接続結果を有する。各項目の例として、メッセージ名は、UE呼接続開始通知に対する応答と記載し、自ノード名は、マネジメント部を記載する。接続結果は、成功、失敗のいずれかを記載する。
【０１３０】
図２５は全UEアイドル遷移通知のデータ形式を示す図である。全UEアイドル遷移通知メッセージｍ５は、項目として、メッセージ名、送信ノード名、フェムトセル側接続情報およびフェムトＧＷ側接続情報を有する。
【０１３１】
各項目の例として、メッセージ名は、全UEアイドル遷移通知と記載し、送信ノード名は、3GフェムトセルまたはLTEフェムトセルのいずれかを記載する。フェムトセル側接続情報は、フェムトセルの接続設定情報として、IPアドレス、ポート番号、SCTPのポイントコード、GTP-UのTEID等を必要な分だけ記載する。フェムトGW側接続情報は、フェムトＧＷの接続設定情報として、IPアドレス、ポート番号、SCTPのポイントコード、GTP-UのTEID等を必要な分だけ記載する。
【０１３２】
図２６は全UEアイドル遷移通知に対する応答のデータ形式を示す図である。全UEアイドル遷移通知応答メッセージｍ５ｒは、項目として、メッセージ名、自ノード名、接続結果を有する。各項目の例として、メッセージ名は、全UEアイドル遷移通知に対する応答と記載し、自ノード名は、マネジメント部と記載する。接続結果は、成功、失敗のいずれかを記載する。
【０１３３】
図２７は制御メッセージのデータ形式を示す図である。HMS１５ａと制御部２３ｂ間は3GPP標準化上、TR−069プロトコルを使用することになっているため、TR−069の制御メッセージを用いる。図２７では、回線接続要求、回線接続要求に対する応答、回線切断要求、回線切断要求に対する応答の通知方法として、TR−069のInformメッセージｍ６のデータ形式を示している。
【０１３４】
Informメッセージｍ６は、項目として、DeviceId、Event、MaxEnvelopes、CurrentTime、RetryCountおよびParameterListを有する。各項目の例として、DeviceIdには、3G方式およびLTE方式デュアルフェムトセルの装置IDを記載する。Eventには、4（VALUE CHANGE）等を記載する。MaxEnvelopesは、1固定である。CurrentTimeには、送信時刻を記載する。RetryCountは、任意の値で可であり、ParameterListには、回線接続要求、回線接続要求に対する応答、回線切断要求、回線切断要求に対する応答のいずれを記載する。
【０１３５】
以上、各種メッセージのデータ形式について説明したが、上記以外のデータ形式については、本発明に関わる新規経路上を送受され、特に3GPP標準化上の規定が無いため、任意のデータ形式を用いてよい。
【０１３６】
次にプロトコルスタックについて説明する。図２８はIuhのプロトコルスタックを示す図である。太枠箇所は既存と異なるスタックを示す。Iuhは、Iu−CS C−Plane（既存システムと同様）、Iu−CS U−Plane（既存システムと同様）、Iu−PS C−Plane（既存システムと同様）、Iu−PS U−Plane（既存システムと同様）、Iuh HNBAP（既存システムと同様）、S1−MME over Iuh、S1−U over Iuhの各プロトコルスタックを有する。
【０１３７】
Iu−CS C−PlaneおよびIu−PS C−Planeは、下位レイヤから上位レイヤに向かって、Ethernet（登録商標）、IP、SCTP、RUA（RANAP User Adaptation layer）、RANAP（Radio Access Network Application Part）、MM（Mobility Management）、CC（Call Control）といったスタック構成を有する。
【０１３８】
Iu−CS U−Planeは、下位レイヤから上位レイヤに向かって、Ethernet、IP、UDP（User Datagram Protocol）、RTP（Real Time Transport Protocol）、IuUP（Iu User Plane）、DATAといったスタック構成を有する。
【０１３９】
Iu−PS U−PlaneおよびS1−U over Iuhは、下位レイヤから上位レイヤに向かって、Ethernet、IP、UDP、GTP−U、IP、DATA、DATAといったスタック構成を有する。Iuh HNBAPは、下位レイヤから上位レイヤに向かって、Ethernet、IP、SCTP、HNBAPといったスタック構成を有する。
【０１４０】
S1−MME over Iuhは、下位レイヤから上位レイヤに向かって、Ethernet、IP、SCTP、RUA、S1−AP、GMM／SM（GPRS Mobility Management／Session Management）といったスタック構成を有する。
【０１４１】
図２９はS1のプロトコルスタックを示す図である。太枠箇所は既存と異なるスタックを示す。S1は、S1−MME、S1−U（既存システムと同様）、Iuh−CS C−Plane over S1、Iuh−CS U−Plane over S1、Iuh−PS C−Plane over S1、Iuh−PS U−Plane over S1（S1−Uと同様）、Iuh HNBAP over S1の各プロトコルスタックを有する。
【０１４２】
S1−MMEは、下位レイヤから上位レイヤに向かって、Ethernet、IP、SCTP、S1−AP、GMM／SMといったスタック構成を有する。
S1−UおよびIuh−PS U−Plane over S1は、下位レイヤから上位レイヤに向かって、Ethernet、IP、UDP、GTP−U、IP、DATA、DATAといったスタック構成を有する。
【０１４３】
Iuh−CS C−Plane over S1およびIuh−PS C−Plane over S1は、下位レイヤから上位レイヤに向かって、Ethernet、IP、SCTP、S1−AP、RUA、RANAP、MM、CCといったスタック構成を有する。
【０１４４】
Iuh−CS U−Plane over S1は、下位レイヤから上位レイヤに向かって、Ethernet、IP、UDP、GTP−U、RTP、IuUP、Dataといったスタック構成を有する。Iuh HNBAP over S1は、下位レイヤから上位レイヤに向かって、Ethernet、IP、SCTP、S1−AP、HNBAPといったスタック構成を有する。
【０１４５】
図３０はプロトコルスタックを示す図である。HMS１５ａと制御部２３ｂ間の制御インタフェースのプロトコルスタックを示している。制御インタフェースであるTR-069は、下位レイヤから上位レイヤに向かって、Ethernet、IP、TCP（Transmission Control Protocol）、SSL／TLS（The SSL Protocol, Version 3.0／RFC 2246, The TLS Protocol, Version 1.0）、HTTP（RFC 2616, Hypertext Transfer Protocol）、SOAP（Simple Object Access Protocol）、RPC（Remote Procedure Call） Methods、DATAといったスタック構成を有する。
【０１４６】
以上、実施の形態を例示したが、実施の形態で示した各部の構成は同様の機能を有する他のものに置換することができる。また、他の任意の構成物や工程が付加されてもよい。
（付記１）  第１の通信セッションおよび第２の通信セッションの双方の通信機能を有する上位キャリアと、
前記上位キャリアに対して前記第１の通信セッションを確立して通信を行う第１の通信部と、前記上位キャリアに対して前記第２の通信セッションを確立して通信を行う第２の通信部と、前記第１の通信部および前記第２の通信部の制御を行う通信制御部とを含む基地局装置と、
を備え、
前記通信制御部は、前記第１の通信セッションを切断し、前記第１の通信セッションに関する信号を、前記第２の通信セッションを用いて前記上位キャリアへ迂回転送させる、
ことを特徴とする通信システム。
【０１４７】
（付記２）  前記通信制御部は、切断されている前記第１の通信セッションの配下にあるアイドル状態の無線通信装置の発信または着信を契機に、前記第１の通信セッションを確立して前記迂回転送を停止することを特徴とする付記１記載の通信システム。
【０１４８】
（付記３）  前記通信制御部は、
前記第１の通信セッションが確立しているときに、前記第１の通信セッションの発信または着信が終了して、前記第１の通信セッションの配下の無線通信装置がアイドル状態となったときは、前記第１の通信セッションを切断し、
前記第２の通信セッションが確立しているときに、前記第２の通信セッションの発信または着信が終了して、前記第２の通信セッションの配下の無線通信装置がアイドル状態となったときは、前記第２の通信セッションを切断する、
ことを特徴とする付記１記載の通信システム。
【０１４９】
（付記４）  前記第１の通信セッションが切断されている場合、前記第２の通信部は、前記第１の通信セッションに関する信号を前記第２の通信セッションでカプセリングして前記上位キャリアへ送信し、
前記第２の通信セッションが切断されている場合、前記第１の通信部は、前記第２の通信セッションに関する信号を前記第１の通信セッションでカプセリングして前記上位キャリアへ送信する、
ことを特徴とする付記１記載の通信システム。
【０１５０】
（付記５）  基地局装置において、
上位に対して第１の通信セッションを確立して通信を行う第１の通信部と、
前記上位に対して第２の通信セッションを確立して通信を行う第２の通信部と、
前記第１の通信部および前記第２の通信部の制御を行う通信制御部と、
を備え、
前記通信制御部は、前記第１の通信セッションを切断し、前記第１の通信セッションに関する信号を、前記第２の通信セッションを用いて前記上位へ迂回転送させる、
ことを特徴とする基地局装置。
【０１５１】
（付記６）  基地局装置で通信セッションを確立して通信を行う際の通信方法において、
前記基地局装置は、
上位に対して第１の通信セッションを確立して通信を行い、
前記上位に対して第２の通信セッションを確立して通信を行い、
装置起動時または前記第１の通信セッションの配下の無線通信装置がアイドル状態にある時は、前記第１の通信セッションを切断し、前記第１の通信セッションに関する信号を、前記第２の通信セッションを用いて前記上位へ迂回転送させる、
ことを特徴とする通信方法。
【０１５２】
（付記７）  上位に対してW−CDMA通信セッションを確立して通信を行う第１の通信部と、
前記上位に対してLTE通信セッションを確立して通信を行う第２の通信部と、
前記第１の通信部および前記第２の通信部の制御を行う通信制御部と、
を備え、
前記通信制御部は、前記W−CDMA通信セッションまたは前記LTE通信セッションのいずれかを切断し、切断した通信セッションに関する信号を、切断していない通信セッションを用いて前記上位へ迂回転送させる、
ことを特徴とする基地局装置。
【０１５３】
（付記８）  前記通信制御部は、
前記W−CDMA通信セッションを切断している場合、前記W−CDMA通信セッションの配下にあるアイドル状態の無線通信装置の発信または着信を契機に、前記W−CDMA通信セッションを確立して前記迂回転送を停止し、
前記LTE通信セッションを切断している場合、前記LTE通信セッションの配下にあるアイドル状態の無線通信装置の発信または着信を契機に、前記LTE通信セッションを確立して前記迂回転送を停止する、
ことを特徴とする付記７記載の基地局装置。
【０１５４】
（付記９）  前記通信制御部は、
前記W−CDMA通信セッションが確立しているときに、前記W−CDMA通信セッションの発信または着信が終了して、前記W−CDMA通信セッションの配下の無線通信装置がアイドル状態となったときは、前記W−CDMA通信セッションを切断し、
前記LTE通信セッションが確立しているときに、前記LTE通信セッションの発信または着信が終了して、前記LTE通信セッションの配下の無線通信装置がアイドル状態となったときは、前記LTE通信セッションを切断する、
ことを特徴とする付記７記載の基地局装置。
【０１５５】
（付記１０）  前記W−CDMA通信セッションが切断されている場合、前記第２の通信部は、前記W−CDMA通信セッションに関する信号を前記LTE通信セッションでカプセリングして前記上位へ送信し、
前記LTE通信セッションが切断されている場合、前記第１の通信部は、前記LTE通信セッションに関する信号を前記W−CDMA通信セッションでカプセリングして前記上位へ送信する、
ことを特徴とする付記７記載の基地局装置。
【符号の説明】
【０１５６】
１  通信システム
１０  上位キャリア
２０  基地局装置
２１  第１の通信部
２２  第２の通信部
２３  通信制御部
【図１】
0005521749.tif 000002
【図２】
0005521749.tif 000003
【図３】
0005521749.tif 000004
【図４】
0005521749.tif 000005
【図５】
0005521749.tif 000006
【図６】
0005521749.tif 000007
【図７】
0005521749.tif 000008
【図８】
0005521749.tif 000009
【図９】
0005521749.tif 000010
【図１０】
0005521749.tif 000011
【図１１】
0005521749.tif 000012
【図１２】
0005521749.tif 000013
【図１３】
0005521749.tif 000014
【図１４】
0005521749.tif 000015
【図１５】
0005521749.tif 000016
【図１６】
0005521749.tif 000017
【図１７】
0005521749.tif 000018
【図１８】
0005521749.tif 000019
【図１９】
0005521749.tif 000020
【図２０】
0005521749.tif 000021
【図２１】
0005521749.tif 000022
【図２２】
0005521749.tif 000023
【図２３】
0005521749.tif 000024
【図２４】
0005521749.tif 000025
【図２５】
0005521749.tif 000026
【図２６】
0005521749.tif 000027
【図２７】
0005521749.tif 000028
【図２８】
0005521749.tif 000029
【図２９】
0005521749.tif 000030
【図３０】
0005521749.tif 000031